(57)【要約】【課題】本発明は、生ゴミ処理装置内に配置された回転ドラムの回転だけでは偏りがちな微生物着床材の移動を満遍なく行えるようにして微生物の活性化をもたし、生ゴミの処理能力をより一層高めた生ゴミ処理装置を提供することを課題とする。【解決手段】台所のシンク底部の排水孔に連結されたディスポーザーの排出口に連結され、ディスポーザーで加水破砕された生ゴミを微生物を活用して分解処理する生ゴミ処理装置であって、破砕された生ゴミを分解する微生物と、該微生物のコロニーとなる着床材を収容して回動し、前記着床材を相互に移動可能に保持するとともに破砕された生ゴミ以外の可容水を排出する多数の細孔を有する回転ドラムを備え、同回転ドラムが細孔径を異にする外側の第１ドラムと内側の第２ドラムとの二重構造とされ、第２ドラムの内側に回転ドラムの回動によって生ゴミを含む着床材を攪拌する複数の平板状羽根を設けてなる生ゴミ処理装置による。【選択図】  図１
2015100734.tif 000002
【特許請求の範囲】
【請求項１】
台所のシンク底部の排水孔に連結されたディスポーザーの排出口に連結され、ディスポーザーで加水破砕された生ゴミを微生物を活用して分解処理する生ゴミ処理装置であって、破砕された生ゴミを分解処理槽内で分解する微生物と、該微生物のコロニーとなる着床材を収容して回動し、前記着床材を相互に移動可能に保持するとともに破砕された生ゴミ以外の液体を排出する多数の細孔を有する回転ドラムを備え、同回転ドラムが、細孔径を異にする外側の第１ドラムと内側の第２ドラムとの二重構造とされ、かつ、内側の第２ドラムの内側に回転ドラムの回動によって前記着床材を攪拌する複数の平板状羽根を設けてなることを特徴とする生ゴミ処理装置。
【請求項２】
平板状羽根の先端部が幅広の杓子形状を有し、第２ドラム内面に９０°間隔で４列、各列に２〜４枚突設されてなり、回転軸を挟んで相対する列の２〜４枚の平板状羽根は生ゴミを含んだ着床材を攪拌する位置が重複しないよう交互にずらして配設されてなることを特徴とする請求項１に記載の生ゴミ処理装置。
【請求項３】
第１ドラムと第２ドラムとの間隔が１０ｍｍ〜１５ｍｍであり、第１ドラムの細孔径が０．５〜０．６ｍｍ、第２ドラムの細孔径が０．７〜０．８ｍｍであることを特徴とする請求項１又は２に記載の生ゴミ処理装置。
【発明の詳細な説明】
【技術分野】
【０００１】
本発明は台所のシンクの排水孔に連結されたディスポーザーによって破砕された生ゴミを、微生物を活用して分解処理する生ゴミ処理装置に関する。
【背景技術】
【０００２】
本願発明者は、先に台所のシンクの排水孔に連結されたディスポーザーに、連結パイプや切替弁を介して接続でき、操作が簡単で、かつ小型な装置でバイオ方式によって生ゴミを発生直後に分解・消滅させる生ゴミ処理装置（特開２００２−１２８１号公報）を開発したが、その後様々な形状のシンクのうちには、その形状やシンク周りのスペース等の条件によって生ゴミ処理装置をディスポーザーに連結する連結パイプや切替弁が配設できないという問題が出てきた。
そこでディスポーザーとの連結に必要としていた下水道から悪臭や小動物の侵入を防止するためのトラップ管路、及びディスポーザー３を使用せず雑排水、洗剤使用水等のみをシンク２からを流す場合において前記雑排水、洗剤使用水等を生ゴミ処理装置１に流入させることなく下水管に直接排出させるための切替弁１４を生ゴミ処理装置に内蔵してディスポーザーと生ゴミ処理装置との連結を容易にし、かつ維持管理が容易で、その上生ゴミの処理装置の処理能力が格段に向上した生ゴミ処理装置を開発して上記問題を解決し、特許をも得た（特許第４７７１０５８号公報）。
【先行技術文献】
【特許文献】
【０００３】
【特許文献１】特開２００２−１２８１号公報
【特許文献２】特許第４７７１０５８号公報
【発明の概要】
【発明が解決しようとする課題】
【０００４】
本発明は、上記特許文献２に開示の生ゴミ処理装置内に配置され着床材が収容された回転ドラムの底部が前記生ゴミ処理装置内に滞留する水に浸されているため、回転ドラムの回転のみでは水の抵抗等により偏りがちとなっていた着床材個々の移動を満遍なく均等に行えるようにして微生物と破砕された生ゴミと接触機会を高めること、また、使用者が処理能力を超える大量の生ゴミを投入するケースが多く、このため回転ドラム内に投入されて堆積した生ゴミの中心部まで十分な酸素が取り込めない状態が発生することを考え、回転ドラム内に平板状羽根を設け、回転時に堆積した生ゴミの内部を攪拌させて中心部まで酸素を行き渡らせ、微生物の活性化を引き起こすことにより、生ゴミの処理能力をより一層高めた生ゴミ処理装置を提供しようとするものである。
【課題を解決するための手段】
【０００５】
本発明者は鋭意研究の結果、上記課題を下記の手段により解決した。
（１）台所のシンク底部の排水孔に連結されたディスポーザーの排出口に連結され、ディスポーザーで加水破砕された生ゴミを分解処理槽内で微生物を活用して分解処理する生ゴミ処理装置であって、破砕された生ゴミを分解する微生物と、該微生物のコロニーとなる着床材を収容して回動し、前記着床材を相互に移動可能に保持するとともに破砕された生ゴミ以外の液体を排出する多数の細孔を有する回転ドラムを備え、同回転ドラムが、細孔径を異にする外側の第１ドラムと内側の第２ドラムとの二重構造とされ、かつ、内側の第２ドラムの内側に回転ドラムの回動によって前記着床材を攪拌する複数の平板状羽根を設けてなることを特徴とする生ゴミ処理装置。
（２）平板状羽根の先端部が幅広の杓子形状を有し、第２ドラム内面に９０°間隔で４列、各列に２〜４枚突設されてなり、かつ回転軸を挟んで相対する列の２〜４枚の平板状羽根は生ゴミを含む着床材を攪拌する位置が重複しないよう交互にずらして配設されてなることを特徴とする（１）に記載の生ゴミ処理装置。
（３）第１ドラムと第２ドラムとの間隔が１０ｍｍ〜１５ｍｍであり、第１ドラムの細孔径が０．５〜０．６ｍｍ、第２ドラムの細孔径が０．７〜０．８ｍｍであることを特徴とする（１）又は（２）に記載の生ゴミ処理装置。
【発明の効果】
【０００６】
本発明の生ゴミ処理装置において下記の効果が発揮される。
〈１〉台所のシンク底部の排水孔に連結されたディスポーザーの排出口に連結され、ディスポーザーで加水破砕された生ゴミを分解処理槽内で微生物を活用して分解処理する生ゴミ処理装置であって、破砕された生ゴミを分解する微生物と、該微生物のコロニーとなる着床材を収容して回動し、前記着床材を相互に移動可能に保持するとともに破砕された生ゴミ以外の液体を排出する多数の細孔を有する回転ドラムを備え、同回転ドラムが、細孔径を異にする外側の第１ドラムと内側の第２ドラムとの二重構造とされ、かつ、内側の第２ドラムの内側に回転ドラムの回動によって前記着床材を攪拌する複数の平板状羽根を設けているので、生ゴミ処理装置内に滞留する水中に浸された回転ドラム底部に収容された着床材の移動が、回転ドラムの回転のみによっては偏りがちとなるのを、第２ドラムの内面に突設した多数の平板状羽根の回転によって直接攪拌するのですべての着床材が満遍なく均等の移動し、着床材に着床している微生物とディスポーザーで破砕された生ゴミとの接触の機会が増え、より高い分解処理能力を発揮し、回転ドラムを二重にしたことによって内側の第２ドラムから排出される微細な生ゴミ屑が外側の第１ドラムで捕捉され、微細な生ゴミ屑をも除去された浄化処理水のみが下水道に排出する生ゴミ処理装置が提供できる。
〈２〉平板状羽根の先端部が幅広の杓子形状を有し、第２ドラム内面に９０°間隔で４列、各列に２〜４枚突設されてなり、かつ回転軸を挟んで相対する列の２〜４枚の平板状羽根は生ゴミを含んだ着床材を攪拌する位置が重複しないよう交互にずらして配設されているので、前記生ゴミを含んだ着床材の攪拌がより確実に、かつより効果的に行え、微生物と破砕生ゴミとの接触機会が増加し、また攪拌により酸素が十分取り込め、より高い分解処理能力を備えた生ゴミ処理装置が提供できる。
【図面の簡単な説明】
【０００７】
【図１】本発明の生ゴミ処理装置の構成概要説明図
【図２】本発明の生ゴミ処理装置の実施例における横面断面図
【図３】本発明の生ゴミ処理装置の実施例における縦断面図
【発明を実施するための形態】
【０００８】
本発明の生ゴミ処理装置を実施するための形態を実施例の図に基づいて説明する。
図１は本発明の生ゴミ処理装置の構成概要説明図、図２は本発明の生ゴミ処理装置の実施例における正面断面図、図３は本発明の生ゴミ処理装置の実施例における上面断面図、図４は回転ドラムの正面断面図である。
図において１は本発明の生ゴミ処理装置、２はシンク、３はディスポーザー、４は着床材、１０は回転ドラム、１０ａは第１ドラム、１０ｂは第２ドラム、１０ｓは第１ドラムと第２ドラム間の間隔、１１は平板状羽根、１２は加水破砕生ゴミ流入口、１２’は加水破砕生ゴミ投入口、１３は処理水排水口、１４は切替弁、１５は駆動用モータ、１６は微生物供給用ノズル、１７，１７’は生ゴミ投入管取付部、１８は生ゴミ投入管部、１９は生ゴミ投入口となる管体、２０、２０’は排水管取付部、２１は排水管部、２２は排水口となる管体、２３は封水蓋を示す。
【０００９】
本発明の生ゴミ処理装置１は、図１に示すように、台所のシンク２底部の排水孔に連結されたディスポーザー３の排出口に連結され、ディスポーザー３で加水破砕された生ゴミを微生物を活用して分解処理する生ゴミ処理装置であって、破砕された生ゴミを分解する微生物と、該微生物のコロニーとなる着床材４を収容して回動し、前記着床材４を相互に移動可能に保持するとともに、破砕された生ゴミを分解し可容水となった水を排出する多数の細孔を有する回転ドラム１０を備え、同回転ドラム１０が、細孔径を異にする外側の第１ドラム１０ａと内側の第２ドラム１０ｂとの二重構造とされ、かつ、内側の第２ドラム１０ｂの内側に回転ドラム１０の回動によって前記着床材４を攪拌する複数の平板状羽根１１が設けられている。
そして、従来ディスポーザー３との接続に当たって必要とされた下水道から悪臭や小動物の侵入を防止するためのトラップ管路、及びディスポーザー３を使用せず雑排水や洗剤使用水等のみをシンク２からを流す場合において前記雑排水や洗剤使用水等を生ゴミ処理槽１に流入させることなく下水管に直接排出させるための切替弁１４を前記特許文献２の発明の生ゴミ処理装置と同様に本発明の生ゴミ処理装置１でも同生ゴミ装置内装置１内に一体化して備えられている。
また前記第１ドラム１０ａ及び第２ドラム１０ｂにはいずれも細孔を有しているので固形の生ゴミ以外の分解処理水などの可容水を円滑に排出でき、また回転ドラム１０正逆両方向に交互に回転するので、回転ドラム１０の底部が、図１に示すように生ゴミ処理装置１内に滞留する水中を正逆両方向に定期的にくぐることと、第２ドラム１０ｂ内面に突設された杓子形状の平板状羽根１１によって着床材４も正逆両方向にの回転によって攪拌されることから、破砕された生ゴミが細孔に詰まることなく、また着床材４と生ゴミとが常に均等に混ざり合うことから、生ゴミと部生物との接触機会が増え、生ゴミの分解処理が促進されることになる。
回転ドラム１０の回転は、第１ドラム１０ａの左右側面のいずれか一方の外周部に形成された歯車と、回転ドラム１０近傍に配された駆動用歯車との歯との噛み合わせによって行うようにされ、該駆動用歯車は電動モーター１５の回転方向を所定時間間隔で正逆交互に切り替えられるよう構成することによって、回転ドラム１０の正逆両方向の交互切替をを可能にしている。
なお、第１ドラム１０ａと第２ドラム１０ｂとの間隔が１０ｍｍ〜１５ｍｍ、第１ドラム１０ａの細孔径が０．５〜０．６ｍｍ、第２ドラム１０ｂの細孔径が０．７〜０．８ｍｍであることが好ましい。
【００１０】
本発明の生ゴミ処理装置１は、図３示すように、加水破砕生ゴミゴミ投入口１２’と処理水排水口１３とはシンク２の排水口の位置に対応して該生ゴミ処理装置１の左右側面のいずれにも取り付け可能に構成されている。
すなわち、あらかじめ生ゴミ処理装置１に備えられた左右の生ゴミ投入管取付部１７、１７’及び排水管取付部２０、２０’（図２では加水破砕生ゴミ投入口１２と処理水排水口１３とが上下に重なっているので記号を並記する）に前記加水破砕生ゴミ投入口１２及び処理水排水口１３とする側（図２においては右側）の前記生ゴミ投入管取付部１７及び排水管取付部２０に生ゴミ投入管部１８及び排水管部２１の一端を螺着して生ゴミ処理装置１の筐体５近傍まで引き出し、該生ゴミ投入管部１８及び排水管部２１の他端に生ゴミ投入口１２となる管体１９及び排水口１３となる管体２２を螺着して、ディスポーザー３及び排水路への接続を可能にし、使用しない側（図２においては左側）の生ゴミ投入管接続部１７’及び排水管取付部２０’には止水蓋２３を螺着している。したがって、シンクの排水孔の位置が異なっても容易に対応できる。
また、保守点検のために開閉される前扉６も、本生ゴミ処理装置１がシンク３の下部空間に設置されたとき、前記シンク２の排水口の位置によって前記前扉６の開閉に支障をもたらさないよう両開き可能に構成されている。
【００１１】
そして本発明では、メンテナンスを短時間で簡単に行えるよう予備の分解槽カートリッジを準備し、生ゴミしょりそうち１の前扉を開き、中にあるカートリッジを引き出し交換することで完了する構造に設計されている。
さらにまた、かって回転ドラム１０に供給する微生物の収容容器を生ゴミ処理装置１外に配設してポンプによって吸引にして回転ドラム１０の上部に設けたノズル１６から滴下して行っていたのを、微生物を収容したカセットを生ゴミ処理装置１内の開き空間に配設する構造として、より使用しやすい生ゴミ処理装置１としている。
【符号の説明】
【００１２】
１：生ゴミ処理装置
２：シンク
３：ディスポーザー
４：着床材
５：筐体
６：前扉
１０：回転ドラム
１０ａ：第１ドラム
１０ｂ：第２ドラム
１１：平板状羽根
１２：加水破砕生ゴミ流入口
１２’：加水破砕生ゴミ投入口
１３：処理水排水口
１４：切替弁
１５：駆動用モータ
１６：微生物供給用ノズル
１７、１７’：生ゴミ投入管取付部
１８：生ゴミ投入管部
１９：生ゴミ投入口となる管体
２０、２０’：排水管取付部
２１：排水管部
２２：排水口となる管体
２３：封水蓋
【図１】
2015100734.tif 000003
【図２】
2015100734.tif 000004
【図３】
2015100734.tif 000005